(57)【要約】【課題】ブラックマトリクスのような格子状パターンを形成する際のコストを低減する。【解決手段】第１の工程において、格子状パターンの全体における長手方向の直線パターンを、例えば１ｋＨｚ以上の高い印字周波数により描画する。次いで、第２の工程において、格子状パターンの全体における短手方向の直線パターンを、例えば１００Ｈｚ以下の低い印字周波数により描画する。これにより、短手方向の直線パターンと長手方向の直線パターンとの交点にバルジが発生し、これをブラックマトリクスにおけるＴＦＴの遮光部として用いることができる。【選択図】図８
2010197914.tif 000002
【特許請求の範囲】
【請求項１】
インクジェット方式を用いて基板に液滴を付与することにより、該基板に格子状パターンを形成するパターン形成方法において、
前記格子状パターンの一方向に所定の印字周波数により複数の第１の直線を描画し、
前記一方向の直交方向に、前記所定の印字周波数よりも低い印字周波数により複数の第２の直線を描画することを特徴とするパターン形成方法。
【請求項２】
前記直交方向におけるドットピッチをｐ、前記液滴の直径をｄ、前記基板と前記液滴との接触角をθとしたとき、前記ドットピッチｐが下記の条件を満たすことを特徴とする請求項１記載のパターン形成方法。
【数８】
2010197914.tif 000011
【請求項３】
前記基板と前記液滴との接触角が３０度以下であることを特徴とする請求項１または２記載のパターン形成方法。
【請求項４】
前記液滴が揮発成分を含むことを特徴とする請求項１から３のいずれか１項記載のパターン形成方法。
【請求項５】
前記第２の直線の、前記第１の直線上におけるドットピッチを、該第１の直線間におけるドットピッチよりも大きくすることを特徴とする請求項１から４のいずれか１項記載のパターン形成方法。
【請求項６】
前記一方向は前記格子状パターンの全体における長手方向であることを特徴とする請求項１から５のいずれか１項記載のパターン形成方法。
【請求項７】
請求項１から６のいずれか１項記載のパターン形成方法を用いて、前記基板に黒色インクによって前記格子状パターンを形成することにより、カラー液晶表示装置を構成するカラーフィルタに用いるブラックマトリクスを製造することを特徴とするブラックマトリクス製造方法。
【請求項８】
インクジェット方式を用いて基板に液滴を付与することにより、該基板に格子状パターンを形成するパターン形成装置において、
前記格子状パターンの一方向に所定の印字周波数により複数の第１の直線を描画する手段と、
前記一方向の直交方向に、前記所定の印字周波数よりも低い印字周波数により複数の第２の直線を描画する手段とを備えたことを特徴とするパターン形成装置。
【発明の詳細な説明】
【技術分野】
【０００１】
本発明は、とくにカラー液晶表示装置を構成するカラーフィルタに用いるブラックマトリクスの製造に適したパターン形成方法および装置に関するものである。
【背景技術】
【０００２】
カラーテレビ、パソコンおよび携帯電話等に使用されるカラー液晶表示装置のカラーフィルタには、ＲＧＢ各色の着色層が形成されている。このような着色層等のパターンの形成方法としては、例えばリソグラフィー法が公知であるが、リソグラフィー法は真空装置等の大がかりな設備と複雑な工程を必要とする。また、リソグラフィー法は材料の使用効率が数％程度であり、その殆どを廃棄する必要があることから、製造コストが高い。このため、コストダウンの観点からインクジェット方式により基板に直接パターンを形成する手法が提案されている（特許文献１参照）。
【０００３】
ところで、カラーフィルタには遮光層としてブラックマトリクスを形成する必要がある。ブラックマトリクスは、ＲＧＢ各色の画素領域を区画する格子状のパターンを有し、パターンの間にＲＧＢ各色の着色層が形成される。ブラックマトリクスは液晶表示装置のコントラストを向上させるために重要であるが、ＴＦＴ（薄型トランジスタ）を用いたアクティブマトリクス型の液晶素子を用いた液晶表示装置においては、ＴＦＴの誤作動を防止するためにＴＦＴを遮光する必要がある。このため、カラーフィルタ上のＴＦＴに対応する領域に、インクジェット方式により黒色樹脂組成物からなるインクを塗布することにより、ＴＦＴを遮光するための遮光部を形成する手法が提案されている（特許文献２参照）。
【先行技術文献】
【特許文献】
【０００４】
【特許文献１】特開２００５−２６８６９３号公報
【特許文献２】特開２０００−１７１６２６号公報
【発明の概要】
【発明が解決しようとする課題】
【０００５】
しかしながら、特許文献２に記載された手法は、カラーフィルタを製造するための基板にインクジェット方式によりインクを付与することにより遮光部を形成している。このため、特許文献２に記載された手法を用いて、インクジェット方式によりブラックマトリクスを形成する場合、格子状パターンにおける一方向の直線を描画する第１の工程、一方向に直交する方向の直線を描画する第２の工程、および遮光部を描画する第３の工程という３つの工程が必要となる。このため、ブラックマトリクス製造のための工程数が多く、さらなる低コスト化を図ることができないという問題がある。
【０００６】
本発明は上記事情に鑑みなされたものであり、ブラックマトリクスのような格子状パターンを形成する際のコストを低減することを目的とする。
【課題を解決するための手段】
【０００７】
本発明によるパターン形成方法は、インクジェット方式を用いて基板に液滴を付与することにより、該基板に格子状パターンを形成するパターン形成方法において、
前記格子状パターンの一方向に所定の印字周波数により複数の第１の直線を描画し、
前記一方向の直交方向に、前記所定の印字周波数よりも低い印字周波数により複数の第２の直線を描画することを特徴とするものである。
【０００８】
インクジェット方式により直線パターンを描画する場合、液滴が直線のパターンからこぶ状に濡れ広がるバルジの発生が問題となる。バルジは印字周波数が高速であればその発生を防止できるが、印字周波数が低速であるとバルジが発生する。「所定の印字周波数」とは、バルジが発生しないような印字周波数を意味する。具体的には、１ｋＨｚ以上、好ましくは１０ｋＨｚ以上の比較的高い印字周波数とすることが好ましい。
【０００９】
また、「所定の印字周波数よりも低い印字周波数」としては、バルジが発生するような１００Ｈｚ以下、好ましくは１０Ｈｚ以下の印字周波数が好ましい。なお、印字周波数とは、１秒間に液滴が基板上に着弾する回数である。
【００１０】
なお、本発明によるパターン形成方法においては、前記直交方向におけるドットピッチをｐ[μm]、前記液滴の直径をｄ[μm]、前記基板と前記液滴との接触角をθ[rad]としたとき、前記ドットピッチｐ[μm]を下記の条件を満たすものとしてもよい。
【数１】
2010197914.tif 000003
【００１１】
液滴の直径とは、インクを吐出するヘッドから吐出され、基板に着弾する前の液滴の直径である。
【００１２】
また、本発明によるパターン形成方法においては、前記基板と前記液滴との接触角を３０度以下とするようにしてもよい。
【００１３】
また、本発明によるパターン形成方法においては、前記液滴を揮発成分を含むものとしてもよい。
【００１４】
また、本発明によるパターン形成方法においては、前記第２の直線の、前記第１の直線上におけるドットピッチを、該第１の直線間におけるドットピッチよりも大きくしてもよい。
【００１５】
また、本発明によるパターン形成方法においては、前記一方向を前記格子状パターン全体における長手方向としてもよい。
【００１６】
ここで、格子状パターンは多数の矩形が２次元状に並び、全体として矩形形状をなしている。「長手方向」とは、格子状パターンの全体の矩形形状において、より長い方向の直線が延在する方向を意味する。なお、基板の長手方向と格子状パターン全体における長手方向とを一致させることが好ましいが、基板の長手方向と格子状パターン全体における短手方向（すなわち格子状パターンの全体の矩形形状においてより短い方向の直線が延在する方向）とを一致させるようにしてもよい。
【００１７】
本発明によるブラックマトリクスの製造方法は、本発明のパターン形成方法を用いて、前記基板に黒色インクによって前記格子状パターンを形成することにより、カラー液晶表示装置を構成するカラーフィルタに用いるブラックマトリクスを製造することを特徴とするものである。
【００１８】
本発明によるパターン形成装置は、インクジェット方式を用いて基板に液滴を付与することにより、該基板に格子状パターンを形成するパターン形成装置において、
前記格子状パターンの一方向に所定の印字周波数により複数の第１の直線を描画する手段と、
前記一方向の直交方向に、前記所定の印字周波数よりも低い印字周波数により複数の第２の直線を描画する手段とを備えたことを特徴とするものである。
【発明の効果】
【００１９】
インクジェット方式により直線パターンを描画する場合、液滴が直線のパターンからこぶ状に濡れ広がるバルジの発生が問題となる。バルジは印字周波数が高速であればその発生を防止できるが、印字周波数が低速であるとバルジが発生する。本発明においては、格子状パターンの一方向に所定の印字周波数により複数の第１の直線を描画し、次いで一方向の直交方向に、所定の印字周波数よりも低い印字周波数により複数の第２の直線を描画するようにしたものである。このため、第１の直線の描画時には、バルジが発生しないように直線のパターンを描画できる。一方、第２の直線の描画時には、印字周波数が第１の直線の描画時よりも低いため、バルジが発生する。ここで、第２の直線は第１の直線と直交するように描画されるため、第１の直線との交点が特異点となり、交点上にバルジが発生するようになる。このため、第２の直線を描画すると、第２の直線と第１の直線との交点に周期的にバルジが発生し、バルジの部分をブラックマトリクスにおけるＴＦＴの遮光部として用いることが可能となる。
【００２０】
したがって、本発明によるパターン形成方法をブラックマトリクスの製造に用いた場合、第１の直線の描画および第２の直線の描画という２つの工程により、遮光部を有するブラックマトリクスを製造することができる。したがって、従来の手法と比較して工程数を少なくでき、その結果、ブラックマトリクスの製造コストを低減することができる。
【００２１】
また、直交方向におけるドットピッチを式（１）に示す条件に設定することにより、第１の直線および第２の直線の交点に、確実にバルジを発生させることができる。また、ドットピッチを式（１）に示す条件に設定することにより、パターンの輪郭が滑らかな線(直線)とならずギザギザとなる現象（以下この現象をジャギーと称する）の発生を防止することができる。
【００２２】
また、基板と液滴との接触角を３０度以下とすることにより、ジャギーおよび断線が発生しないように直線を描画することができる。
【００２３】
また、液滴を揮発成分を含むものとすることにより、バルジがランダムに発生しなくなるため、第１および第２の直線の交点に確実にバルジを発生させることができる。
【００２４】
また、第１の直線を描画する方向を格子状パターン全体における長手方向とすることにより、格子状パターンの長手方向の直線を高速に描画することができるため、格子状パターン形成時の作業効率を向上させることができる。したがって、本発明による格子状パターン形成方法をブラックマトリクスの製造に適用した場合、その製造速度を向上させることができる。
【図面の簡単な説明】
【００２５】
【図１】本発明の第１の実施形態によるブラックマトリクス製造方法を実行するためのインクジェット記録装置の構成を示す概略斜視図
【図２】ヘッドの構成を示す図
【図３】ブラックマトリクスの格子状パターンにおける長手方向の直線パターンを複数描画した状態を示す図
【図４】ヘッドを基板の長手方向に対して傾斜させた状態を示す図
【図５】ヘッドの走査方向（ｘ方向）と基板の短手方向とを一致させた状態を示す図
【図６】ブラックマトリクスの格子状パターンにおける短手方向の直線パターンを、長手方向の直線パターンに重ねて描画する状態を示す図
【図７】ドットピッチの算出を説明するための図
【図８】本実施形態において製造されるブラックマトリクスを示す図
【図９】第２の実施形態における第２の工程を説明するための図
【図１０】他の実施形態により製造されるブラックマトリクスを示す図
【発明を実施するための形態】
【００２６】
以下、図面を参照して本発明の実施形態について説明する。図１は本発明の第１の実施形態によるブラックマトリクス製造方法を実行するためのインクジェット記録装置の構成を示す概略斜視図である。図１に示すように、インクジェット記録装置１は、インクジェットヘッド（以下単にヘッドとする）２および支持プレート３を備える。
【００２７】
ヘッド２は、インクジェット方式によりブラックマトリクスの格子状パターンを形成するために、基板１５に向けてインクを吐出する。図２はヘッドの構成を示す図である。図２に示すように、ヘッド２には、インクを吐出するための複数のノズル２Ａが所定間隔にて形成されている。なお、ノズル２Ａは、図１におけるｙ方向に並ぶようにヘッド２に形成されている。
【００２８】
ここで、本実施形態におけるインクジェット方式としては、エネルギー発生素子として電気熱変換体を用いたバブルジェット（登録商標）タイプ、および圧電素子を用いたピエゾジェットタイプ等、公知のタイプを用いることが使用可能である。
【００２９】
支持プレート３には、ブラックマトリクスの格子状パターンが形成される透明のガラスからなる基板１５が支持される。
【００３０】
ヘッド２および支持プレート３は、不図示の駆動機構によって相対移動可能であり、図１のｘ方向、ｙ方向、ｚ方向およびｘｙ平面内での回転方向について、両者の位置関係を変更制御することができる。
【００３１】
このため、本実施形態においては、ヘッド２をｘｙｚの３方向に移動させるヘッド移動手段（ｘ方向移動手段、ｙ方向移動手段およびｚ方向移動手段の組合せ）と、支持プレート３をｘｙ平面内で回転させる回転手段とを備えているが、ヘッド２および支持プレート３の相対移動を実現する駆動機構の形態は、この例に限らず、様々な形態が可能である。例えば、ヘッド２をｘｙ平面内で回転させる回転手段と、支持プレート３をｘｙｚの３方向に移動させる支持プレート移動手段（ｘ方向移動手段、ｙ方向移動手段、およびｚ方向移動手段の組合せ）とを備えるものであってもよく、ヘッド２および支持プレート３のそれぞれが、移動手段と回転手段とを備えるものであってもよい。
【００３２】
描画時には、支持プレート３とヘッド２との間のクリアランス（すなわち、支持プレート３上の基板１５の面とヘッド２の間のクリアランス）が所定値になるようにｚ方向のヘッド位置が調整され、この一定のクリアランスを保ってヘッド２がｘ方向に走査される。ヘッド２をｘ方向に走査しながら、ヘッド２のノズル２２から液滴を吐出することにより、基板１５上にｘ方向の直線を描画することができる。
【００３３】
また、ヘッド２をｙ方向に移動させることによって、基板１５上の描画位置を変更することができ、基板１５の描画領域の任意の位置に液滴を着弾させることが可能である。さらに、支持プレート３を回転させ、ヘッド２の走査方向（ｘ方向）と基板１５の向き（回転角に応じた姿勢）を変更することにより、基板１５面上で任意の方向の直線を描画することができる。
【００３４】
本実施形態においては、ヘッド２と基板１５とをｘ方向に相対的に走査しながら、ヘッド２のノズル２Ａからインクを吐出して基板１５にブラックマトリクスの格子状パターンを描画する。
【００３５】
なお、ヘッド２および支持プレート３の駆動の制御は不図示の制御部が行う。
【００３６】
次いで、ブラックマトリクスの格子状パターンの形成の工程について説明する。本実施形態におけるブラックマトリクスの格子状パターンの形成の工程は、格子状パターンの全体における長手方向の直線パターンを描画する第１の工程、および格子状パターンの全体における短手方向の直線パターンを描画する第２の工程からなる。なお、基板１５の表面は、インクと親液関係を有するように、具体的にはインクと基板１５との接触角が３０度以下となるように、アルコール、２−プロパノール等により洗浄され、必要に応じてプラズマ処理が施されているものとする。このように、インクと基板１５とを親液関係にあるものとすることにより、線描画が可能となる。また、ここでは基板１５の長手方向と、格子状パターンの全体における長手方向とが一致するように、格子状パターンを形成するものとして説明する。
【００３７】
まず、第１の工程について説明する。図１に示すように、基板１５の長手方向がヘッド２の走査方向と一致するように基板１５を支持プレート３に支持し、ヘッド２を基板１５に対してその長手方向に走査することにより、図３に示すように、ブラックマトリクスの格子状パターン全体における長手方向の直線パターンを複数描画する。なお、第１の工程におけるドットピッチは、線描画が可能な条件を満たすように設定される。また、図３においては説明のため５本の直線パターンのみを描画した状態を示している。
【００３８】
ここで、パターンの描画に使用するインクは、着色剤として黒色顔料を、溶媒として揮発性を有する有機溶媒を用いた黒色樹脂組成物からなるものとする。黒色顔料としては例えばカーボンブラックを、揮発性を有する有機溶媒としては例えばシクロヘキサノンを用いることができる。
【００３９】
また、長手方向の直線パターンの描画時においては、１ｋＨｚ以上の印字周波数、好ましくは１０ｋＨｚ以上の印字周波数により高速描画を行う。
【００４０】
このように、インクを揮発成分を持たせ、高速で描画を行うことにより、長手方向の直線パターンにはバルジが発生することがなくなる。
【００４１】
なお、直線パターンの描画は、ヘッド２における１つのノズルのみを用いて、すべての直線パターンを１つのノズルにより繰り返し描画するようにしてもよいが、ヘッド２の複数のノズルの間隔が、基板１５の長手方向の直線パターンの間隔Ｌ０と一致するように、図４に示すようにヘッド２を基板１５の長手方向に対して傾斜させて、複数のノズルにより複数の直線パターンを同時に描画するようにしてもよい。
【００４２】
次に第２の工程について説明する。第２の工程においては、ブラックマトリクスの格子状パターン全体における短手方向の直線パターンを描画する。このため、本実施形態においては、支持プレート３をｘｙ平面においてｚ軸の周囲に９０度回転し、図５に示すようにヘッド２の走査方向（ｘ方向）と基板１５の短手方向とを一致させる。なお、支持プレート３に代えて、ヘッド２をｘｙ平面においてｚ軸の周囲に９０度回転してもよい。そして、図６に示すように、ブラックマトリクスの格子状パターン全体における短手方向の直線パターンを、長手方向の直線パターンに重ねて複数描画する。なお、図６においては、短手方向の直線パターンが描画される位置のみを破線で示している。
【００４３】
また、ブラックマトリクスにおいては、格子の間にＲＧＢ各色のカラーフィルタが存在するものとなるため、ブラックマトリクスにおける一方向の格子の間隔は、この一方向に直交する方向の格子の間隔の約３倍となっている。ここで、バルジを良好に発生させるためには、バルジを発生させる描画方向の格子の間隔が長いことが好ましいため、本実施形態においては、格子状パターン全体における短手方向の格子の間隔が、その長手方向の格子の間隔の３倍となっていることが好ましい。
【００４４】
なお、短手方向においても、直線パターンの描画は、ヘッド２における１つのノズルのみを用いて、すべての直線パターンを１つのノズルにより繰り返し描画するようにしてもよいが、ヘッド２の複数のノズルの間隔を、短手方向の直線パターンの間隔と一致するように、ヘッド２を基板１５の短手方向に対して傾斜させて、複数のノズルにより複数の直線パターンを同時に描画するようにしてもよい。
【００４５】
ここで、短手方向の直線パターンを描画する際のドットピッチは、直線パターンにおける必要線幅以上のインクを用いて下記の式（１）を満たすように決定する。なお、式（１）において、ｐ[μm]はドットピッチ、θ[rad]は基板１５とインクとの接触角である。また、短手方向の直線パターンの描画時においては、１００Ｈｚ以下の印字周波数、好ましくは１０Ｈｚ以下の印字周波数により低速描画を行う。
【数２】
2010197914.tif 000004
【００４６】
以下、式（１）に示すドットピッチの算出について説明する。図７はドットピッチの算出を説明するための図である。なお、ここでは、図７に示すように、ドットピッチｐ[μm]により描画を行うことにより、基板１５に着弾した１滴のインクが濡れ広がって、線幅ｗを有する直線パターンの一部が描画されるものとして説明する。なお、直線パターンの一部は、幅がｗ[μm]、長さがドットピッチｐ[μm]と一致する、断面がかまぼこ型の形状をなすものとなる。また、ヘッド２から吐出されたインクの体積は保存され、基板１５に着弾後もインクの接触角は変更されないものとする。
【００４７】
図７に示すように、ヘッド２のノズルから吐出されたインク滴の直径をｄ[μm]、基板１５に着弾して平衡状態となったインクの直径をｄeqm[μm]とし、ｄeqm[μm]とｄ[μm]との比率ｄeqm／ｄをβeqmとすると、βeqmは下記の式（２）により表される。
【数３】
2010197914.tif 000005
【００４８】
一方、幅がｗ[μm]、長さがドットピッチｐ[μm]と一致するかまぼこ型の形状の断面積Ａ０は、下記の式（３）により表される。したがって、かまぼこ型形状の体積Ｖ０は、下記の式（４）により表される。
【数４】
2010197914.tif 000006
【００４９】
一方、ノズルから吐出されたインク滴の直径はｄ[μm]であるため、インク滴の体積Ｖ１は下記の式（５）により表される。
【数５】
2010197914.tif 000007
【００５０】
上述したかまぼこ型形状の体積Ｖ０とインク滴の体積Ｖ１とは等しい。このため、式（６）の関係が成立し、式（６）から線幅ｗ[μm]を式（７）に示すように算出することができる。
【数６】
2010197914.tif 000008
【００５１】
直線パターンの線幅ｗ[μm]は、着弾して平衡状態にあるインクの径ｄeqm[μm]以上となる。すなわち、ｗ≧ｄeqm＝βeqm・ｄであるから、この関係を用いて式（７）をｐ[μm]について解くことにより、下記に示すように式（１）を導出することができる。
【数７】
2010197914.tif 000009
【００５２】
このように式（１）により算出したドットピッチにより、低い印字周波数により短手方向の直線パターンを描画すると、バルジが発生する。また、短手方向の直線パターンは図６に示すように長手方向の直線パターンと交差する。すると、長手方向の直線パターンとの交点が特異点となり、交点にバルジが発生する。このため、ブラックマトリクスの格子状パターンの交点がバルジによりふくらんだものとなり、その結果、第２の工程が終了すると、図８に示すように格子状パターンの交点にバルジによりふくらんだ部分が形成されたブラックマトリクスが完成する。
【００５３】
したがって、第１および第２工程を経て製造されたブラックマトリクスにおいては、バルジによりふくらんだ部分を、ＴＦＴの遮光部として用いることが可能となる。
【００５４】
ここで、本出願人による実験結果を説明する。表１は、インクの吐出体積＝１ｐｌ(ピコリットル)、着弾径＝２５μｍとして、印字周波数とドットピッチとを変えて直線パターンを描画したときの線幅の安定性（バルジおよびジャギーの発生状況）を調べたものである。
【００５５】
表１においては、描画された線についてバルジおよびジャギーの発生を目視評価し、実用上問題のない良好なレベルを「○」、不良なレベルを「×」とした。表１の実験結果によれば、ドットピッチが１０μｍの場合、印字周波数を１０Ｈｚとした場合にバルジが発生してＴＦＴの遮光部を良好に形成できることが分かった。一方、印字周波数を１０００Ｈｚ以上にした場合、バルジおよびシャギーが発生せず、安定した直線パターンを描画できることが分かった。
【００５６】
一方、ドットピッチが２０μｍの場合、印字周波数を１０Ｈｚとした場合にジャギーが発生し、印字周波数を１０００Ｈｚ以上にした場合、バルジおよびシャギーが発生せず、安定した直線パターンを描画できることが分かった。
【表１】
2010197914.tif 000010
【００５７】
このように、第１の実施形態においては、第１および第２の工程という２つの工程により、遮光部を有するブラックマトリクスを製造することができる。したがって、従来の手法と比較して工程数を少なくでき、その結果、ブラックマトリクスの製造コストを低減することができる。
【００５８】
また、バルジを発生させる方向の直線パターンの描画時のドットピッチを式（１）に示す条件に設定することにより、第２の工程において確実にバルジを発生させることができる。
【００５９】
また、基板１５とインクとの接触角を３０度以下とすることにより、ジャギーが発生しないように直線を描画することができる。
【００６０】
また、インクを揮発成分を含むものとすることにより、バルジがランダムに発生しなくなるため、直線パターンの交点に確実にバルジを発生させることができる。
【００６１】
また、格子状パターン全体における長手方向の直線パターンを高速にて印字しているため、ブラックマトリクスの格子状パターンの長手方向の直線パターンを高速に描画することができる。したがって、作業効率を向上させることができ、その結果、ブラックマトリクスの製造速度を向上させることができる。
【００６２】
次いで、本発明の第２の実施形態について説明する。なお、第２の実施形態においては、第２の工程における直線パターンの描画の態様が第１の実施形態と異なるため、ここでは、第２の工程についてのみ説明する。図９は第２の実施形態における第２の工程を説明するための図である。上記第１の実施形態においては、第２の工程において、長手方向よりも低い印字周波数により直線パターンを描画しているが、第２の実施形態においては、短手方向の直線パターンの描画時において、長手方向の直線パターンとの交点において、交点以外の部分よりも密となるように描画を行うようにしたものである。
【００６３】
すなわち、図９に示すように、短手方向の直線パターンの描画時において、ヘッド２が長手方向の直線パターンの間の区間Ｋ１にあるときには比較的粗い印字密度となるように描画を行い、長手方向の直線パターンとの交点およびその近傍の区間Ｋ２にあるときには、印字密度が高くなるように描画を行うようにしたものである。なお、長手方向の直線パターンとの交点において、最も印字密度を高くするものとする。ここで、印字密度の変更は、ドットピッチおよび印字周波数の少なくとも一方を変更することにより行うことができる。
【００６４】
また、第２の実施形態においては、長手方向の直線パターンを描画する際の印字周波数を１ｋＨｚ以上とし、短手方向の直線パターンを描画する際の印字周波数を１ｋＨｚ未満とする。具体的には、上記表１に示す本出願人の実験結果を参照すると、短手方向の直線パターンを描画する際に、図９に示す区間Ｋ２においては、ドットピッチを１０μｍ、印字周波数を１０Ｈｚとすることによりバルジが発生し、区間Ｋ１においては、ドットピッチを２０μｍ、印字周波数を１ｋＨｚ（＝１０００Ｈｚ）以上とすることにより、ジャギーを発生させることなく、直線パターンを描画することができる。
【００６５】
なお、上記第２の実施形態においては、第１の実施形態と同一のインクを用いてもよいが、インクの溶媒として揮発性を有さない溶媒を用いるようにしてもよい。
【００６６】
また、上記第１および第２の実施形態においては、１つのヘッド２を使用し、ヘッド２または支持プレート３をｘｙ平面においてｚ軸の周囲に９０度回転させることにより、基板１５の長手方向および短手方向における直線パターンを描画しているが、基板１５の長手方向の直線パターンを描画するための第１のヘッドと、短手方向の直線パターンを描画するための第２のヘッドの２つのヘッドを設けるようにしてもよい。この場合、第１の工程においては、第１のヘッドを用いて長手方向の直線パターンを描画し、第２の工程において第２のヘッドを用いて短手方向の直線パターンを描画すればよい。
【００６７】
また、上記第１および第２の実施形態においては、第１の工程において、格子状パターン全体における長手方向の直線パターンを描画しているが、これに限定されるものではなく、効率は落ちるものの、第１の工程において格子状パターン全体における短手方向の直線パターンを描画し、第２の工程において格子状パターン全体における長手方向の直線パターンを描画するようにしてもよい。なお、バルジを発生させる描画方向の格子の間隔が長いことが好ましいことから、この場合は、図１０に示すように上記第１および第２の実施形態とは逆に、格子状パターン全体における長手方向の格子の間隔がその短手方向の格子の間隔の３倍となっていることが好ましい。
【符号の説明】
【００６８】
１    インクジェット記録装置
２    インクジェットヘッド
３    支持プレート
１５    基板
【図１】
2010197914.tif 000012
【図２】
2010197914.tif 000013
【図３】
2010197914.tif 000014
【図４】
2010197914.tif 000015
【図５】
2010197914.tif 000016
【図６】
2010197914.tif 000017
【図７】
2010197914.tif 000018
【図８】
2010197914.tif 000019
【図９】
2010197914.tif 000020
【図１０】
2010197914.tif 000021